(57)【要約】【課題】より簡易にカッターブレードを研削することが可能なモーアが要望されている。【解決手段】モーアデッキ２２と、モーアデッキ２２の内部に設けられたカッターブレード２３であって、上下向き軸芯廻りに回転駆動されるカッターブレード２３と、モーアデッキ２２に形成された開口部３０であって、カッターブレード２３を研削するための研削具１００をモーアデッキ２２の内部に受け入れる開口部３０と、開口部３０を開放状態と閉塞状態とに切り替え可能な蓋部材３１とを備えた。【選択図】図５
2014187941.tif 000002
【特許請求の範囲】
【請求項１】
モーアデッキと、
前記モーアデッキの内部に設けられたカッターブレードであって、上下向き軸芯廻りに回転駆動されるカッターブレードと、
前記モーアデッキに形成された開口部であって、前記カッターブレードを研削するための研削具を前記モーアデッキの内部に受け入れる開口部と、
前記開口部を開放状態と閉塞状態とに切り替え可能な蓋部材とを備えたモーア。
【請求項２】
前記モーアデッキが天板と側板とを有し、前記開口部が前記天板に形成されている請求項１に記載のモーア。
【請求項３】
前記蓋部材が前記天板に揺動自在に支持されており、前記蓋部材が下方に揺動されて、前記開口部が前記閉塞状態から前記開放状態に切り替えられる請求項２に記載のモーア。
【請求項４】
前記開口部が開放状態にある際の前記蓋部材が前記カッターブレードの回転を防止する回転防止部材として機能する請求項３に記載のモーア。
【請求項５】
前記蓋部材に前記カッターブレードにおける刃部が形成された第１辺に対向する第２辺の少なくとも一部が係合する凹部が形成されている請求項４に記載のモーア。
【発明の詳細な説明】
【技術分野】
【０００１】
本発明は、モーアデッキと、前記モーアデッキの内部に設けられたカッターブレードであって、上下向き軸芯廻りに回転駆動されるカッターブレードとを備えたモーアに関する。
【背景技術】
【０００２】
上記したモーアとして、例えば特許文献１に記載されたものがある。このモーアにおいて、下方に開口するモーアデッキの内部に複数のカッターブレードが設けられている。このモーアは、自走機体の下部に昇降リンクを介して支持されている。
【先行技術文献】
【特許文献】
【０００３】
【特許文献１】特開２００９−２１３４３７号公報
【発明の概要】
【発明が解決しようとする課題】
【０００４】
ところで、この種のモーアにおいては、当該モーアの使用に伴い、カッターブレードの刃部に刃こぼれ等が生じる。このため、カッターブレードを定期的に研削する必要がある。カッターブレードを研削する際には、モーアを自走機体から取り外し、当該モーアの上下を逆転して、カッターブレードを露出させる必要がある。
【０００５】
上記課題に鑑み、より簡易にカッターブレードを研削することが可能なモーアが要望されている。
【課題を解決するための手段】
【０００６】
本発明のモーアは、モーアデッキと、前記モーアデッキの内部に設けられたカッターブレードであって、上下向き軸芯廻りに回転駆動されるカッターブレードと、前記モーアデッキに形成された開口部であって、前記カッターブレードを研削するための研削具を前記モーアデッキの内部に受け入れる開口部と、前記開口部を開放状態と閉塞状態とに切り替え可能な蓋部材とを備える。
【０００７】
本構成により、モーアを駆動させて草を刈る際には、蓋部材で開口部を閉塞状態として、従来のモーアと同様に刈り草作業を行うことができる。一方、カッターブレードを研削する際には、開口部を開放状態とすることにより、開口部からカッターブレードにアクセスすることができるので、モーアの上下を逆転して、カッターブレードを露出させる必要がない。このため、簡易にカッターブレードを研削することが可能となる。
【０００８】
上記構成において、前記モーアデッキが天板と側板とを有し、前記開口部が前記天板に形成されていると好適である。また、前記蓋部材が前記天板に揺動自在に支持されており、前記蓋部材が下方に揺動されて、前記開口部が前記閉塞状態から前記開放状態に切り替えられると好適である。
【０００９】
本構成により、開口部を通じて、合理的にカッターブレードにアクセスをすることができる。また、蓋部材を揺動させることで、開口部を閉塞状態と開放状態とに容易に切り替えることができる。
【００１０】
上記構成において、前記開口部が開放状態にある際の前記蓋部材が前記カッターブレードの回転を防止する回転防止部材として機能すると好適である。
【００１１】
本構成により、カッターブレードを研削する際に、蓋部材によりカッターブレードの回転を防止することができる。このため、一層簡易にカッターブレードを研削することが可能となる。
【００１２】
上記構成において、前記蓋部材に前記カッターブレードにおける刃部が形成された辺に対向する辺の少なくとも一部が係合する凹部が形成されていると好適である。
【００１３】
本構成により、カッターブレードが蓋部材の凹部に係合することにより、確実にカッターブレードの回転を防止することができる。
【図面の簡単な説明】
【００１４】
【図１】本発明の一例であるモーアを備えた乗用型草刈機の全体側面図である。
【図２】乗用型草刈機の全体平面図である。
【図３】モーアの開口部の近傍部分を示す斜視図である。
【図４】閉鎖状態にある開口部の近傍部分を示す断面図である。
【図５】開放状態にあるモーアの開口部の近傍部分を示す断面図である。
【図６】収納姿勢にあるスタンドを示す図である
【図７】使用姿勢にあるスタンドを示す図である。
【図８】本発明の別実施例のモーアの一部を示す図である。
【発明を実施するための形態】
【００１５】
以下、本発明の実施例を図面に基づいて説明する。図１は、本発明の一例であるモーア２０を備えた乗用型草刈機の全体側面図である。図２は、乗用型草刈機の全体平面図である。なお、以下の説明において、自走機体の前後方向における前方を前と称し、自走機体の前後方向における後方側を後と称する。また、前を向いた際の自走機体の幅方向における右側を右と称し、左側を側と称する。これらの図に示すように、この乗用型草刈機は、左右一対の操向操作自在な前車輪１，１と、左右一対の駆動自在な後車輪２，２とを備える。また、運転座席３と、この運転座席３の前方に設けられたステアリングホィール４とを有する運転部５が装備された自走機体を備える。この自走機体の車体フレーム６の下部で前車輪１と後車輪２との間にモーア２０を備えている。つまり、この乗用型草刈機は、ミッドマウント式の乗用型草刈機である。モーア２０は、リンク機構７を介して車体フレーム６に連結されている。
【００１６】
自走機体は、機体前部に設けたエンジン８を備える。このエンジン８の出力軸８ａの駆動力が伝動ベルト９によって静油圧式無段変速装置１０に伝達され、前進駆動力と後進駆動とに変換される。この前進駆動力および後進駆動力が左右一対の後車輪２，２に伝達される。また、エンジン８の出力軸８ａの駆動力がベルト７０，７１を介してモーア２０に伝達される。
【００１７】
リンク機構７は、前記運転部３に設けた昇降レバー１１によって車体フレーム６に対して上下に揺動操作される。リンク機構７が揺動操作されることにより、モーア２０が、接地ゲージ輪２１が地面に接地した下降作業状態と、前記接地ゲージ輪２１が地面から上昇した上昇非作業状態とに昇降操作される。モーア２０を下降作業状態にして自走機体を走行させると、モーア２０は、前記エンジン８の前記出力軸８ａからの駆動力によって駆動される。モーアデッキ２２の内部に車体横方向に並んで位置する二枚のカッターブレード２３によって草刈りを行い、刈り草をモーアデッキ２２から外部に放出する。
【００１８】
図２に示すように、二枚のカッターブレード２３，２３は、前記刈り刃ハウジング２２の内部に車幅方向に並べて設けられた二つの刈り室２６，２６それぞれに一枚ずつ設けられている。これらのカッターブレード２３は、回転支軸２７を介してモーアデッキ２２の天板２２ａに回転自在に支持されている。
【００１９】
図１及び２に示すように、各刈り室２６は、モーアデッキ２２の天板２２ａおよび側壁２２ｂと、刈り刃ハウジング２２の内部に取り付けられたガイド板等によって形成されている。刈り室２６は、刈り刃ハウジング上下方向視でほぼ円形になっている。刈り刃ハウジング２２の前記側壁２２ｂと、前記ガイド板とは、刈り室２６の側壁になっている。一方の刈り室２６は、刈り刃ハウジング２２の横一端部で刈り刃ハウジング２２の横外側に向かって開口した排出口２９を備えている。一対の刈り室２６，２６は、モーアデッキ２２の横方向（機体幅方向）での中央部で連通し合っている。
【００２０】
図２及び３に示すように、天板２２ａには、カッターブレード２３の刃部を研削する際に研削具１００（図５を参照）をモーアデッキ２２内に受け入れるための開口部３０が形成されている。本実施例では、開口部３０は、各カッターブレード２３，２３に対応して２か所に形成されている。開口部３０は、モーア２０における機体幅方向の外側部分に形成されている。つまり、上面視で自走機体と重畳しない位置に形成されている。
【００２１】
なお、開口部３０は、自走機体の下方、つまり、上面視で自走機体と重畳する位置に形成されていてもよい。この場合であっても、例えば、モーア２０を自走機体から離脱させて設地させるのみで開口部３０からモーアデッキ２２の内部にアクセスできる。このため、例えば、モーア２０の天地を逆転させてカッターブレード２３を露出させることなく、研削作業を行うことができることから、従来と比較して、簡易にカッターブレード２３を研削することができる。
【００２２】
また、上記の実施例では、各カッターブレード２３に対応して開口部３０を形成する例を示したが、開口部３０以外にアクセス可能な開口が存在するカッターブレード２３については、開口部３０を形成しなくてもよい。例えば、上記のモーア２０の場合、サイドディスチャージ式のモーアであり、右側のカッターブレード２３には、排出口２９からアクセスすることも可能である。したがって、左側のカッターブレード２３に対応する開口部３０のみを形成してもよい。
【００２３】
図４に示すように、通常時（カッターブレード２３を研削する際以外）は、これらの開口部３０は、蓋部材３１により閉塞されている。本実施例では、蓋部材３１は軸芯Ｐ１周りに揺動自在に設けられている。通常時は、蓋部材３１が、モーアデッキ２２の内側から天板２２ａに当接することにより、開口部３０が閉鎖される。カッターブレード２３を研削する際は、蓋部材３１が下方（天板２２ａから離間する側）に揺動されて、開口部３０が開放される。このように、蓋部材３１は、開口部３０を閉塞状態とする閉塞姿勢と、開口部３０を開放状態とする開放姿勢との間で姿勢変更される。
【００２４】
蓋部材３１の上面には、凹部３３が形成されている。この凹部３３は、蓋部材３１が開放姿勢にある際に、カッターブレード２３の刃部とは反対側の長辺と係合する。このように、開口部３０が開放状態にある際の蓋部材３１がカッターブレード２３の回転を防止する回転防止部材として機能する（図５を参照）。
【００２５】
図３及び４に示すように、この実施例では、天板２２ａと蓋部材３１とに亘ってボルト３５及びナット３６が締結されることにより、蓋部材３１が閉塞姿勢に維持される。つまり、天板２２ａ及び蓋部材３１にはボルト挿通用の孔部３７，３８が形成されている。蓋部材３１の下面（モーアデッキ２２の内側に対向する面）には、孔部３８の位置に対応して、ナット３６が固定されている。孔部３７及び孔部３８にボルト３５が挿通され、ボルト３５がナット３６に螺合されることにより、蓋部材３１が閉塞姿勢で固定される。図５に示すように、開放姿勢においては、蓋部材３１の先端部が接地することにより、蓋部材３１の姿勢が保持される。なお、軸芯Ｐ１の近傍にストッパ等を設けて、蓋部材３１の先端部が接地することなく姿勢保持されるように構成してもよい。
【００２６】
以下、このモーア２０におけるカッターブレード２３の研削作業の一例について説明する。まず、モーア２０が、接地ゲージ輪２１が地面に接地した下降作業状態に位置させる。この状態で、図３に示すように、ボルト３５が外されることにより、閉塞姿勢において固定されていた蓋部材３１の揺動が可能になる。図５に示すように、蓋部材３１を下方に揺動させて蓋部材３１の先端部を接地させる。これにより、蓋部材３１が開放姿勢となり、開口部３０が開放状態となる。開口部３０から例えばグラインダー等の研削具１００をモーアデッキ２２の内部に入れて、カッターブレード２３の刃部を研削する。この際、開放姿勢にある蓋部材３１の凹部３３にカッターブレード２３が係合してカッターブレード２３の回転が防止される。
【００２７】
また、図１、６、及び７に示すように、この乗用型草刈機はステップ１５に、例えば、燃料缶、工具箱、ブロア等を載置可能なスタンド４０を備える。このスタンド４０は、機体幅方向において、ステップ１５の幅内に位置する格納姿勢（図６を参照）と、格納姿勢から機体幅方向における外側に引き出された使用姿勢（図７を参照）とに姿勢変更可能である。
【００２８】
図６及び７に示すように、ステップ１５の一方の側部（本実施例では左側部）の一部が切り欠かれて、上方及び側方に開口するスタンド収納空間Ｓが形成されている。このスタンド収納空間Ｓにスタンド４０が収納されている。スタンド４０は、本体５０と蓋体６０とを備える。本体５０は底板５１と側板とを備える。側板は底板５１のうち、ステップの側部に位置する外側板５２と、機体前後方向における前側に位置する前側板５３と、機体前後方向における後側に位置する後側板５４とを含む。外側板５２には取手５６が設けられている。また、本体５０には一対のアーム部材５５，５５が設けられている。これらアーム部材５５，５５は、前側板５３及び後側板５４の外側板５２の近傍部分に、縦向き軸芯Ｐ２周りに揺動可能に支持されている。アーム部材５５の先端部には、ステップ１５に設けられたロッド６６に係合する係合凹部５５ａが形成されている。
【００２９】
蓋体６０は天板６１と側板とを備える。側板は本体の場合と同様に、外側板６２と前側板６３と後側板６４とを含む。天板には取手６５が設けられている。蓋体６０は、本体５０よりも一回り小さいサイズに設定され、格納姿勢において、蓋体６０は本体５０の内部に入り込む。蓋体６０は、本体５０の前側板５３及び後側板５４における内側部分に前後向き軸芯Ｐ３廻りに揺動可能に支持されている。
【００３０】
スタンド４０は、収納姿勢において、収納空間Ｓに収納されている。つまり、収納姿勢において、蓋体６０は天板６１が上方に位置する姿勢で本体５０の内部に入り込んでいる。また、アーム部材５５，５５は前側板５３及び後側板５４に沿った状態となっている。本体５０、蓋体６０、及びアーム部材５５が上記の姿勢で収納空間に収納されている。収納姿勢において、収納空間Ｓにおける上方に開口する部分には蓋体６０の天板６１が位置し、側方に開口する部分には本体５０の外側板５２が位置する。
【００３１】
上記収納姿勢にあるスタンド４０は以下の手順により使用姿勢に姿勢変更される。つまり、先ず、スタンド４０を収納空間Ｓから外側に引き出す。その後、蓋体６０を上方に揺動させて底板５１と天板６１とが略垂直となる姿勢にする。アーム部材５５を前側板５３及び後側板５４から離間させる側に揺動して、それぞれの係合凹部５５ａをロッド６６に係合させる。これにより、スタンド４０が使用姿勢に保持される。
【００３２】
このようなスタンド４０を備えた乗用型草刈機は、例えば、スタンド４０にブロアを載置して、乗用型ブロアとして使用可能である。つまり、ブロアを作動させながら、乗用型草刈機の自走機体を走行させることにより、ブロアの風力により、例えば、刈草や落ち葉等を一方向に吹き飛ばして集めることができる。この際、スタンド４０の本体５０が側板５２，５３，５４を備えることから、自走機体を走行させても確実にブロアをスタンド４０上に保持することができる。
【００３３】
[別実施形態]
（１）カッターブレード２３を研削するための研削具１００をモーアデッキ２２の内部に受け入れる開口部は、上記の形態に限られるものではない。例えば図８に示すものであってもよい。この実施例では、モーアデッキ２２の側壁２２ｂに開口部１３０が形成されている。この実施例において、蓋部材１３１はボルト１３５によりモーアデッキ２２に固定される。つまり、ボルト１３５が孔部１３７，１３８に亘って挿入され、蓋部材１３１及びモーアデッキ２２の側板２２ｂに亘って締結されることにより、蓋部材１３１がモーアデッキ２２の側板２２ｂに固定され、開口部１３０が閉塞状態となる。ボルト１３５を外して蓋部材１３１をモーアデッキ２２から取り外すことにより、開口部１３０が開放状態となる。なお、上記の開口部３０をモーアデッキ２２の天板２２ａに形成する場合において、蓋部材３１を取り外すことにより、開口部３０を閉塞状態から開放状態に切り替えるようにしてもよい。また、開口部１３０をモーアデッキ２２の側壁２２ｂに形成する場合に蓋体１３１を揺動させて開口部１３０を閉塞状態と開放状態とに切り替えるように構成してもよい。
【００３４】
（２）上記の実施例において、カッターブレード２３を２つ備えたサイドディスチャージ式のモーアを例に説明したが、本発明は上記の実施例に限られるものではない。例えば、カッターブレードを３つ備えたモーア２０やカッターブレード２０を１つ備えたモーア２０等、上記以外のモーアにも適用可能である。また、本発明は、サイドディスチャージ式のモーアに限られず、例えば、リアディスチャージ式のモーアやマルチング式のモーア等、上記以外のモーアにも適用可能である。
【００３５】
（３）上記の実施例において、ミッドマウント式の乗用型草刈機を例に説明したが、本発明は上記の実施例に限られるものではない。例えば、フロントマウント式の乗用型草刈機等、上記以外の草刈機にも適用可能である。
【産業上の利用可能性】
【００３６】
本発明は種々のモーアに適用可能である。
【符号の説明】
【００３７】
２２          モーアデッキ
２２ａ        天板
２２ｂ        側板
２３          カッターブレード
２７          回転支軸（上下向き軸芯）
３０，１３０  開口部
３１，１３１  蓋部材
３３          凹部
１００        研削具
【図１】
2014187941.tif 000003
【図２】
2014187941.tif 000004
【図３】
2014187941.tif 000005
【図４】
2014187941.tif 000006
【図５】
2014187941.tif 000007
【図６】
2014187941.tif 000008
【図７】
2014187941.tif 000009
【図８】
2014187941.tif 000010